(57)【要約】      （修正有）【課題】塩がこぼれることを抑制できる蓄熱パックを提供する。【解決手段】蓄熱パック１０は、帆布によって袋状に形成された袋部１２と、塩粒を含み、前記袋部内に収容された蓄熱内容物２０とを備える。帆布は、綿糸又は麻糸で織られた厚手の布である。帆布を方形袋状に縫い合せることによって、袋部１２が形成されている。蓄熱内容物２０は、好ましくは、ビワの葉と、ヨモギの葉と、米とをさらに含む。塩粒を含む蓄熱内容物が、帆布によって形成された袋部に収容されているため、塩が外部にこぼれにくい。【選択図】図１
2014090838.tif 000002
【特許請求の範囲】
【請求項１】
帆布によって袋状に形成された袋部と、
塩粒を含み、前記袋部内に収容された蓄熱内容物と、
を備える蓄熱パック。
【請求項２】
請求項１記載の蓄熱パックであって、
前記蓄熱内容物は、ビワの葉と、ヨモギの葉と、米とをさらに含む、蓄熱パック。
【発明の詳細な説明】
【技術分野】
【０００１】
この発明は、人体の頭部、頸部、肩部、腕部、脚部等を暖めるための蓄熱パックに関する。
【背景技術】
【０００２】
従来、人体を部分的に暖める道具として塩温石が知られている。塩温石は、塩をフライパン等で加熱して、これを布で包んだものである。
【発明の概要】
【発明が解決しようとする課題】
【０００３】
しかしながら、従来の塩温石では、布から塩がこぼれる恐れがある。
【０００４】
そこで、本発明は、塩がこぼれることを抑制できる蓄熱パックを提供することを目的とする。
【課題を解決するための手段】
【０００５】
上記課題を解決するため、第１の態様に係る蓄熱パックは、帆布によって袋状に形成された袋部と、塩粒を含み、前記袋部内に収容された蓄熱内容物と、を備える。
【０００６】
第２の態様は、第１の態様に係る蓄熱パックであって、前記蓄熱内容物は、ビワの葉と、ヨモギの葉と、米とをさらに含む。
【発明の効果】
【０００７】
第１の態様に係る蓄熱パックによると、塩粒を含む蓄熱内容物が、帆布によって形成された袋部に収容されているため、塩が外部にこぼれにくい。
【０００８】
第２の態様によると、蓄熱内容物に含まれるビワの葉とヨモギの葉と米とによって、電子レンジ等を用いて容易に加熱できる。
【図面の簡単な説明】
【０００９】
【図１】実施形態に係る蓄熱パックを示す平面図である。
【図２】蓄熱パックを示す正面図である。
【図３】蓄熱パックを示す側面図である。
【図４】蓄熱パックの製造例を示す説明図である。
【図５】蓄熱パックの製造例を示す説明図である。
【発明を実施するための形態】
【００１０】
以下、実施形態に係る蓄熱パックについて説明する。図１は蓄熱パック１０を示す平面図であり、図２は蓄熱パック１０を示す正面図であり、図３は蓄熱パック１０を示す側面図である。
【００１１】
この蓄熱パック１０は、袋部１２と、蓄熱内容物２０とを備える。
【００１２】
袋部１２は、帆布によって袋状に形成されている。帆布は、綿糸又は麻糸で織られた厚手の布である。かかる帆布は、元々、船の帆を作る目的で製造されたものであるため、厚手で丈夫に作られている。また、通常、帆布は、綿糸又は麻糸を平織することによって作られている。
【００１３】
ここでは、帆布を方形袋状に縫い合せることによって、袋部１２が形成されている。縫合に用いる糸は、綿糸又は麻糸であることが好ましい。なお、袋部１２は、円形状等、その他の袋状に形成されていてもよい。また、糸の縫い合せピッチは、縫目から蓄熱内容物２０がこぼれない程度であることが好ましい。実際、糸の縫い合せピッチをどの程度にすればよいかは、実験的に決定することができるが、蓄熱内容物２０に含まれる最小粒径よりも小さくする必要はない。
【００１４】
また、ここでは、袋部１２を扁平にした状態で、その下側部分と上側部分とが所定距離以上離れないようにするために、環状の縫い糸１４が取付けられている。
【００１５】
ここでは、袋部１２の幅方向中心ラインに沿って複数箇所（ここでは、３箇所）に縫い糸１４が設けられている。また、袋部１２の幅方向中心ラインと袋部１２の両側縁部との間の一対の側方ラインのそれぞれに沿って、複数箇所に（ここでは、それぞれ４箇所）に縫い糸１４が設けられている。袋部１２の長手方向に沿った方向においては、一対の側方ラインに沿って設けられた複数の縫い糸１４の各中央部分に、袋部１２の幅方向中心ラインに沿って設けられた縫い糸１４が位置している。
【００１６】
また、一対の側方ラインに沿って設けられた複数の縫い糸１４は、袋部１２の上側部分で袋部１２の幅方向に沿うように露出している。袋部１２の幅方向中心ラインに沿って設けられた縫い糸１４は、袋部１２の上側部分で袋部１２の長手方向に沿うように露出している。
【００１７】
これら各縫い糸１４によって、袋部１２が扁平状態に維持されるようになっている。
【００１８】
なお、これらの縫い糸１４も綿糸又は麻糸であることが好ましい。
【００１９】
蓄熱内容物２０は、上記袋部１２に収容されるものであり、塩粒を含んでいる。ここでは、蓄熱内容物２０は、ビワの葉と、ヨモギの葉と、米とをさらに含む。
【００２０】
塩粒は、岩塩等であることが好ましい。かかる塩粒は、主として蓄熱作用を果す。
【００２１】
ビワの葉は、樹から採取されたビワの葉っぱを乾燥させたものである。ビワの葉はある程度細かく砕かれていてもよい。
【００２２】
ヨモギの葉は、採取されたヨモギの葉っぱを乾燥させたものである。ヨモギの葉もある程度細かく砕かれていてもよい。
【００２３】
これらビワの葉及びヨモギの葉は、よい芳香を出す機能、及び、感触を柔らかくする機能を果す。
【００２４】
米は、籾殻付の米であっても、玄米であっても、精白された米であってもよい。また、米として、古代米（赤米又は黒米）を用いるとよい。米は、主として蓄熱作用を果す。
【００２５】
また、上記ビワの葉、ヨモギの葉及び米にはある程度の水分が含まれているため、それらは電子レンジのマイクロ波を受けて発熱する役割をも果す。
【００２６】
ビワの葉とヨモギの葉と米と塩の重量比率は、８０〜８９：８０〜８９：４００〜４５０：１００〜１１１とすることが好ましく、より好ましくは、８８：８８：４４４：１１１である。特に、米として古代米を用いた場合には、稲作が開始されたとされる弥生時代にちなんで、文字「や」に数字「８」を割当て、文字「よ」に数字「４」を割当て、文字「い」に数字「１」を割当てて、前記重量比率を、８８：８８：４４４：１１１とすることが好ましい。かかる重量比率の蓄熱内容物２０を用いた蓄熱パック１０は、前述の通りの弥生時代にちなんで、「弥生式手当」と呼ぶのにふさわしいものとなる。
【００２７】
上記蓄熱パック１０の一製造例について説明する。
【００２８】
まず、図４に示すように、方形状の帆布３０を準備し、これを２つ折りする。そして、その周囲３方の縁部で、帆布３０同士の重ね合せ箇所を直線状の縫合ライン３２で縫合する。この際、部分的に縫合しない箇所３３を設けておく。
【００２９】
そして、図５に示すように、周囲３方を縫合した帆布３０を、前記縫合しない箇所３３を利用して裏返すと、袋部１２が製造される。この後、米２２、塩２４，ビワの葉２６及びヨモギの葉２８を混ぜ合せた蓄熱内容物２０を、上記部分的に縫合しない箇所３３を通じて、袋部１２内に詰込む。
【００３０】
そして、袋部１２のうち上記縫合しない箇所３３を縫合によって閉じると、蓄熱パック１０が製造される。
【００３１】
なお、必要に応じて、蓄熱内容物２０を袋部１２に充填する前又は後等に、上記縫い糸１４も取付けられる。
【００３２】
以上のように構成された蓄熱パック１０によると、塩粒を含む蓄熱内容物２０が、帆布によって形成された袋部に収容されているため、塩が外部にこぼれにくい。
【００３３】
また、蓄熱パック１０の外周には、帆布が露出しているため、触感もよい。
【００３４】
さらに、帆布は比較的厚手であるため、蓄熱内容物２０から外部への熱の伝わり方が穏やかとなる。
【００３５】
さらに、蓄熱パック１０は、人体の頭部、頸部、肩部、腕部、脚部等の対象箇所表面形状に応じて円滑に変形するため、当該対象箇所を効果的に暖めることができる。
【００３６】
また、上記ビワの葉、ヨモギの葉及び米にはある程度の水分が含まれているため、電子レンジのマイクロ波によってそれらを容易に加熱することができる。これにより、本蓄熱パック１０を、電子レンジ等を用いて容易に加熱できる。
【００３７】
以上のようにこの発明は詳細に説明されたが、上記した説明は、すべての局面において、例示であって、この発明がそれに限定されるものではない。例示されていない無数の変形例が、この発明の範囲から外れることなく想定され得るものと解される。
【符号の説明】
【００３８】
１０  蓄熱パック
１２  袋部
１４  縫い糸
２０  蓄熱内容物
２２  米
２４  塩
２６  ビワの葉
２８  ヨモギの葉
３０  帆布
【図１】
2014090838.tif 000003
【図２】
2014090838.tif 000004
【図３】
2014090838.tif 000005
【図４】
2014090838.tif 000006
【図５】
2014090838.tif 000007